(57)【要約】【課題】誘引光源と捕虫紙により虫を捕獲する捕虫器において、誘引光を効率良く器具外へ出射し、且つ、誘引された虫の侵入口面積を大きく確保し、また、器具底部に落下した虫の死骸がたまりにくく、且つ、掃除をし易くする。【解決手段】捕虫器１は、虫を誘引するための誘引光源３と、誘引された虫を捕獲するための捕虫紙４と、内部に誘引光源３と捕虫紙４とを有する筐体と、を備える。筐体２は、上方と前面２ｂの下方に開口部２ａ、２ｃが設けられていることにより、虫の侵入口面積を大きく確保できると共に、器具底部に落下した虫の死骸がたまりにくく、且つ、掃除をし易い構造となる。また、筐体２内部に誘引光源３からの光を反射するための反射板６が配設され、開口部２ａ、２ｃを通して誘引光源３からの光が直接又は反射板６、若しくは筐体２に反射して出射されることにより、誘引光を効率良く器具外へ出射することができる。【選択図】図３
2007135527.tif 000002
【特許請求の範囲】
【請求項１】
虫を誘引するための誘引光源と、前記虫を捕獲するための捕虫紙と、上方に開口部を有し、内部に前記誘引光源と前記捕虫紙とを有する筐体と、を備える捕虫器において、
前記筐体は、その前面に開口部（以下、前面開口部という）を有すると共に、内部に前記誘引光源からの光を反射するための反射板を有し、前記前面開口部を通して前記誘引光源からの光が直接又は前記反射板、若しくは前記筐体に反射して出射されることを特徴とする捕虫器。
【請求項２】
前記捕虫紙が、前記筐体前面の内面側に設けられ、
前記前面開口部は、前記誘引光源及び前記捕虫紙より下方に設けられていることを特徴とする請求項１に記載の捕虫器。
【請求項３】
前記反射板は、その下端側が前方手前側に向うように傾斜して配設されていることを特徴とする請求項１又は請求項２に記載の捕虫器。
【発明の詳細な説明】
【技術分野】
【０００１】
本発明は、誘引光源で虫を誘引し、捕虫紙で誘引された虫を捕獲する捕虫器に関する。
【背景技術】
【０００２】
従来から、この種の捕虫器として、図１１に示すように、筐体２の上方のみに開口部２ａが設けられ、内部に誘引光源３と捕虫紙４を備え、誘引光源３からの光で虫を誘引し、この誘引された虫を捕虫紙４により捕獲するものがある。
【０００３】
また、同様の捕虫器において、器具内部に誘引光源と捕虫紙が設けられており、この器具の上方に開口部を有し、器具の下方に、捕虫器の下部と捕虫器が設置される壁面との間に隙間が設けられ、上方の開口部に、上方からの風により捕獲した虫が器具の下方の隙間から外部へ落下するのを防止する落下防止部材が設けられたものが知られている（例えば特許文献１参照）。この捕虫器においては、落下防止部材の隙間、又は捕虫器の下部と捕虫器が設置される壁面との間に設けられた隙間から器具内へ虫を誘引光源からの光により誘引して捕虫紙によって捕獲する。
【０００４】
また、略矩形状の筐体内部に誘引光源と捕虫紙が設けられ、この筐体の上面及び下面並びに前面及び背面に開口部が設けられ、これらの開口部の内側に誘引された虫が通過可能な隙間が設けられ、この開口部と平行に半透明の材質からなる目視遮蔽部が配設されたものが知られている（例えば特許文献２参照）。この捕虫器においては、上記隙間から器具内へ虫を誘引光源からの光により誘引して捕虫紙によって捕獲し、且つ、目視遮蔽部によって器具内の誘引光源や捕虫紙を外部から見えないようにしている。
【特許文献１】特開２００５−０５８０５０号公報
【特許文献２】特開２００２−１２５５６５号公報
【発明の開示】
【発明が解決しようとする課題】
【０００５】
しかしながら、上述の図１１に示したような従来の捕虫器１は、開口部２ａが上方にしかないため、誘引された虫の侵入口面積は大きく確保されておらず、また、捕虫紙４に捕獲されずに器具底面２ｄに落下した虫の死骸がたまり易く、且つ、誘引光源３や捕虫紙４の配置によって器具底面２ｄに落下した虫の死骸の掃除がしにくい構造であった。特許文献１に示された捕虫器は、誘引された虫の侵入口として、上方の落下防止部材の隙間、及び捕虫器が設置される壁面と遮光部材との間に設けられた隙間しかなく、誘引された虫の侵入口面積が大きく確保されたものではない。特許文献２に示された捕虫器は、誘引された虫の侵入口として、開口部の内側に設けられた隙間しかなく、誘引された虫の侵入口面積が大きく確保されておらず、さらには、開口部の目視遮蔽部が半透明であるため、誘引光の器具外への放射効率が悪いといった問題があった。
【０００６】
本発明は、上記従来の問題を解決するためになされたものであり、誘引光を効率良く器具外へ出射し、且つ、誘引された虫の侵入口面積を大きく確保し、また、器具底部に落下した虫の死骸がたまりにくく、且つ、掃除を容易に行うことができる捕虫器を提供することを目的とする。
【課題を解決するための手段】
【０００７】
上記目的を達成するために請求項１の発明は、虫を誘引するための誘引光源と、虫を捕獲するための捕虫紙と、上方に開口部を有し、内部に誘引光源と捕虫紙とを有する筐体と、を備える捕虫器において、筐体は、その前面に開口部（以下、前面開口部という）を有すると共に、内部に誘引光源からの光を反射するための反射板を有し、前面開口部を通して誘引光源からの光が直接又は反射板、若しくは筐体に反射して出射されるものである。
【０００８】
請求項２の発明は、請求項１に記載の捕虫器において、捕虫紙が、筐体前面の内面側に設けられ、前面開口部は、誘引光源及び捕虫紙より下方に設けられているものである。
【０００９】
請求項３の発明は、請求項１又は請求項２に記載の捕虫器において、反射板は、その下端側が前方手前側に向うように傾斜して配設されているものである。
【発明の効果】
【００１０】
請求項１の発明によれば、上方の開口部だけでなく、前面にも開口部を設けているので、誘引された虫の侵入口面積を大きくとることが可能となるため、捕虫力が向上する。また、誘引光源から出射される光は半透過部材を介さずに開口部から外部へ出射されるため、半透過部材を介して出射されるよりも多くの誘引光を出射し、虫を誘引する誘引力を高めることが可能となる。
【００１１】
請求項２の発明によれば、上方開口部から捕虫器内に誘引されて侵入した虫が捕虫紙に捕獲されなかった場合、その虫は器具底部で弱まる前に前面開口部から器具外へ解放されるため、器具底部に虫の死骸がたまりにくくなる。また、器具内部に異物が入った場合にも、前面の下方に設けられた前面開口部より異物が排出されて器具内部にたまりにくい構造となる。また、捕虫紙は垂直方向に配設されているため、捕虫紙に異物がたまることはなく、虫だけが捕獲される。
【００１２】
請求項３の発明によれば、器具底部の水平部面積を小さくし、この水平部を前面開口部側に形成するように傾斜のついた反射板が配設されているため、落下した虫を前面開口部付近の器具底部に集めることが可能となり、清掃が容易となる。また、誘引光を反射板に反射させることにより効率良く前面開口部から出射することが可能となる。
【発明を実施するための最良の形態】
【００１３】
本発明の一実施形態に係る捕虫器について、図面を参照して説明する。図１は実施形態１による捕虫器１を示す。この捕虫器１は誘引光を器具外に出射し、この誘引光によって虫を器具内へ誘引して捕獲する器具である。捕虫器１は略矩形状の筐体２を備え、この筐体２内部に虫を誘引するための誘引光源３と、誘引された虫を捕獲するための捕虫紙４と、誘引光源３の点灯安定器を収納する保護カバー５とが配設されている。筐体２は、上方に開口部２ａを有し、前面２ｂの下方に前面開口部２ｃを有しており、また、前面２ｂの内面側に捕虫紙４が設けられている。誘引光源３は、点灯安定器及び保護カバー５と共に水平方向に向けられ、筐体２内の前面開口部２ｃ付近に配設されている。捕虫器１は、誘引光源３を水平方向に配置して器具の高さが抑えられ、横型として構成されている。
【００１４】
このような構成としたことにより、上方の開口部２ａだけでなく、前面２ｂにも開口部２ｃを設けているので、誘引された虫の侵入口面積を大きくとることが可能となるため、捕虫力が向上する。また、誘引光源３から出射される光は半透過部材を介さずに開口部２ａ、２ｃから外部へ直接出射されるため、半透過部材を介して出射される場合よりも多くの誘引光が出射され、虫を誘引する誘引力が高められている。また、本実施形態１の捕虫器１は、横型であるため重心位置が縦型よりも低く、転倒しにくいため、床置き型捕虫器として安定設置が可能となる。
【００１５】
図２は実施形態２による捕虫器１を示す。誘引光源３と点灯安定器を収納した保護カバー５は、筐体２内にあって、前面２ｂ及び捕虫紙４と対向し、且つ、これと略同じ高さ位置に配置されている。また、前面開口部２ｃは誘引光源３及び捕虫紙４より下方に設けられている。その他の構成は実施形態１と同等の構成とされている。
【００１６】
このような構成としたことにより、実施形態１と同様の効果に加えて、上方開口部２ａから捕虫器１内に誘引されて侵入した虫が捕虫紙４に捕獲されなかった場合、その虫は器具底部２ｄで弱まる前に前面開口部２ｃから器具外へ解放されるため、器具底面２ｄに虫の死骸がたまりにくい。また、器具内部に異物が入った場合にも、前面２ｂの下方に設けられた前面開口部２ｃから異物が排出されて器具内部にたまりにくい。また、捕虫紙４は垂直方向に配置されているため、捕虫紙４に異物がたまることはなく、虫だけが捕獲される。また、器具の奥行き方向に捕虫紙４の配置スペースを必要としないため、器具形状を薄型にすることが可能となる。
【００１７】
図３は、従来の捕虫器により捕獲された虫の数Ａと、上記実施形態２の捕虫器１により捕獲された虫の数Ｂを示す。この測定には、従来の捕虫器と実施形態２の捕虫器１とを同一の部屋内に設置し、ある一定期間経過後に、それぞれにより捕獲された虫の数Ａ及びＢを測定した。この測定は４回繰り返し行った。
【００１８】
同図に示される測定結果から、実施形態２の捕虫器１により捕獲された虫の数Ｂが従来の捕虫器により捕獲された虫の数Ａよりも多く、捕虫力が向上していることが分る。このような効果の違いが生じる理由としては、実施形態２の捕虫器１は、誘引された虫が上方開口部２ａから侵入するのに加えて前面開口部２ｃからも侵入できることと、前面開口部２ｃから出射される誘引光が加わることにより、従来の捕虫器よりも虫を誘引する力が向上しているからである。
【００１９】
図４は、従来の捕虫器における虫の器具内落下率Ｃと、上記実施形態２の捕虫器１における虫の器具内落下率Ｄを示す。なお、捕虫器における虫の器具内落下率とは、捕虫器の捕虫紙４により捕獲された虫の数に対する捕虫紙４に捕獲されずに器具内の落下していた虫の死骸の数の割合によって表されるものとする。捕虫器における虫の器具内落下率の測定には、上記の捕虫器の捕虫紙４により捕獲された虫の数の測定に加えて、捕虫紙４に捕獲されずに器具内の落下していた虫の死骸の数を測定し、虫の器具内落下率Ｃ及びＤを算出した。
【００２０】
同図に示される測定結果から、実施形態２の捕虫器１における虫の器具内落下率Ｄが従来の捕虫器における虫の器具内落下率Ｃよりも低くなっていることが分る。このような効果の違いが生じる理由としては、実施形態２の捕虫器１は、上方開口部２ａから捕虫器１内に誘引されて侵入した虫が捕虫紙４に捕獲されなかった場合、その虫は器具底部２ｄで弱まる前に前面開口部２ｃから器具外へ解放されるため、器具底面２ｄに虫の死骸がたまりにくくなっているからである。
【００２１】
図５は実施形態３による捕虫器１を示す。筐体２は、器具底面２ｄの内面側に誘引光源３からの光を反射するための反射板６を備えている。反射板６は、水平面と傾斜面とから構成されており、傾斜面は、下端側が前方手前側に向うように傾斜して器具底面２ｄ上に配設されている。その反射板６の傾斜の角度は、誘引光源３からの光を反射して前面開口部２ｃから出射するように設定されている。反射板６は、器具底面２ｄ上に配置された点灯安定器（図示しない）を覆っている。その他の構成は実施形態２と同等の構成とされている。
【００２２】
このような構成としたことにより、実施形態２と同様の効果に加えて、器具底面２ｄの水平部面積を小さくでき、この水平部を前面開口部２ｃ側に形成するように反射板６を配設することにより、落下した虫を前面開口部２ｃ付近の器具底面２ｄに集めることが可能となり、清掃が容易となる。また、誘引光を反射板６に反射させることにより効率良く前面開口部２ｃから出射させることが可能となる。また、床置き型捕虫器１の場合、器具転倒を抑制するために重心位置を低くする必要があるので、点灯安定器を器具底面２ｄ付近に設置することが望ましい。その場合、器具底面２ｄに設けられた反射板６は、点灯安定器の保護カバーとして兼用することができる。
【００２３】
図６は実施形態４による捕虫器１を示す。筐体２は、略三角形である右側面及び左側面と、上方開口部２ａと、前面２ｂと、この前面２ｂの下方に設けられた前面開口部２ｃと、背面とからなる三角柱の形状とされた５面構成となっている。その他の構成は実施形態２と同等の構成とされている。
【００２４】
このような構成としたことにより、実施形態２と同様の効果に加えて、筐体２の面構成を減らすことができるため、材料コスト及び加工工数が低減される。
【００２５】
図７は実施形態５による捕虫器１を示す。実施形態５の捕虫器１は、実施形態４における捕虫器１の筐体２の変形例である。筐体２は、前面２ｂの断面形状が前方に向って凸型な曲面とされ、上面と前面２ｂにより鋭角を形成しない構成とされている。その他の構成は実施形態４と同等の構成とされている。
【００２６】
このような構成としたことにより、実施形態４と同様の効果に加えて、捕虫器１は器具形状に鋭角な部分がなく、安全な器具形状となり、且つ、柔らかなデザインとなる。
【００２７】
図８は実施形態６による捕虫器１を示す。筐体２の上方開口部２ａに略矩形状のルーバ７が配設されており、このルーバ７は、長手方向が筐体２の幅方向となり、且つ、器具前面上方向から上方開口部２ａと通って器具内部への視界を遮るように角度をつけて配設されている。その他の構成は実施形態２と同等の構成とされている。
【００２８】
このような構成としたことにより、実施形態２と同様の効果に加えて、捕虫器の能力を損なわずに、器具内部が外部から見えにくくなるため、捕虫器が設置されている付近にいる人に捕虫器であることをわからせないデザインとすることができる。また、いたずらなどで異物が器具内部へ投げ入れられることを防止すると共に、異物による誘引光源の破損を防止することができる。
【００２９】
図９は実施形態７による捕虫器１を示す。筐体２の前面開口部２ｃに略矩形状のルーバ７が配設されており、このルーバ７は、長手方向が筐体２の幅方向となり、且つ、器具前面上方向から前面開口部２ｃを通って器具内部への視界を遮るように角度をつけて配設されている。また、捕虫紙４が器具底面２ｄの内面側に配設されている。その他の構成は実施形態２と同等の構成とされている。
【００３０】
このような構成としたことにより、実施形態２と同様の効果に加えて、ルーバ７が捕虫紙４を外部から見えにくくし、捕獲された虫を隠している。また、捕虫紙４が器具底面２ｄに配置されることにより、捕虫紙４が器具底面２ｄに落下した虫を捕獲するため、捕虫紙４をメンテナンスすることで器具底面２ｄにたまった虫の死骸を清掃することができる。
【００３１】
図１０は実施形態８による捕虫器１を示す。筐体２の前面２ｂは、下端部が回転軸とされて上端部が回動し、開閉が行える構成とされている。前面２ｂと筐体２の右側面とが接する付近の筐体２内部及び前面２ｂと筐体２の左側面とが接する付近の筐体２内部にそれぞれローラキャッチ８が配設されている。筐体２は、このローラキャッチ８により前面２ｂを閉じた状態で保持されている。また、捕虫器１は、前面２ｂの内面側であって捕虫紙４上にマグネット９を備え、捕虫紙４は、このマグネット９と前面２ｂに挟まれることにより固定されている。さらに、器具底面２ｄの外面側の四隅付近にゴム足１０が設けられており、器具底面２ｄと設置面との間に隙間が形成されている。その他の構成は実施形態６と同等の構成とされている。
【００３２】
このような構成としたことにより、実施形態６と同様の効果に加えて、誘引光源３、捕虫紙４をメンテナンスする場合、筐体２の前面２ｂは、その回転軸とされる下端部とローラキャッチ８により筐体２に取り付けられているため、前面２ｂを引っ張る又は押し込むことにより前面２ｂの開閉操作を容易に行うことができる。また、前面２ｂは、捕虫紙４の捕虫面を上にした状態で開かれるため、前面２ｂを開いたときに捕獲された虫の落下が起こりにくい。また、捕虫紙４がマグネット９により前面２ｂの内面側に固定されているため、前面２ｂの内面側略全面に捕虫紙４を配設することができ、且つ、捕虫紙４のメンテナンスも容易に行うことができる。また、器具を移動させる際、器具底面２ｄのゴム足１０により器具底面２ｄと設置面との間に形成された隙間に指を差し込んで器具を容易に持ち上げ、移動させることが可能である。
【００３３】
なお、本発明は、上記各種実施形態の構成に限られず、発明の趣旨を変更しない範囲で種々の変形が可能である。例えば、上記実施形態３においては器具底面２ｄに水平部を有する構成とされているが、反射板６の下端部を前面開口部２ｃの下端部に配置し、器具底面２ｄに水平部を有さない構成とされてもよい。
【図面の簡単な説明】
【００３４】
【図１】本発明の実施形態１に係る捕虫器の斜視図。
【図２】本発明の実施形態２に係る捕虫器の斜視図。
【図３】従来の捕虫器と実施形態２の捕虫器の捕虫紙により捕獲された虫の数の測    定結果を表すグラフ。
【図４】従来の捕虫器と実施形態２の捕虫器における虫の器具内落下率の測定結果    を表すグラフ。
【図５】本発明の実施形態３に係る捕虫器の斜視図。
【図６】本発明の実施形態４に係る捕虫器の斜視図。
【図７】本発明の実施形態５に係る捕虫器の斜視図。
【図８】本発明の実施形態６に係る捕虫器の斜視図。
【図９】本発明の実施形態７に係る捕虫器の斜視図。
【図１０】本発明の実施形態８に係る捕虫器の斜視図。
【図１１】従来の捕虫器の斜視図。
【符号の説明】
【００３５】
１  捕虫器
２  筐体
２ａ  上方の開口部
２ｂ  前面
２ｃ  前面開口部
３  誘引光源
４  捕虫紙
６  反射板
【図３】
2007135527.tif 000003
【図４】
2007135527.tif 000004
【図１】
2007135527.tif 000005
【図２】
2007135527.tif 000006
【図５】
2007135527.tif 000007
【図６】
2007135527.tif 000008
【図７】
2007135527.tif 000009
【図８】
2007135527.tif 000010
【図９】
2007135527.tif 000011
【図１０】
2007135527.tif 000012
【図１１】
2007135527.tif 000013